(57)【特許請求の範囲】
【請求項１】
リニアセンサを用いた着順判定用のカラーテレビジョンカメラにおいて、
前記リニアセンサの撮像対象となるゴールラインの端部に白色体を設け、
前記リニアセンサにより撮像した１画面分の映像信号の中の前記白色体による部分の信号により、自動的にホワイトバランスが補正されるように構成すると共に、
被写体が前記ゴールラインを通過しているとき制御信号を発生させ、当該制御信号により前記ホワイトバランスの補正が一時的に禁止されるように構成したことを特徴とするカラーテレビジョンカメラ。
【発明の詳細な説明】
【０００１】
【発明の属する技術分野】
本発明は、ホワイトバランス補正機能を備えたカラーテレビジョンカメラに係り、特に限定された被写体の撮像に好適なカラーテレビジョンカメラに関する。
【０００２】
【従来の技術】
カラーテレビジョンカメラで撮像して得られるカラー映像信号は、通常、赤色(Ｒ)成分と緑色(Ｇ)成分、それに青色(Ｂ)成分の独立した３種の映像信号として取り出されるようになっているが、このとき、これら３種の映像信号は、白い被写体を撮像したとき、相互に所定のレベル関係になるように、レベルを合わせなければならない。
【０００３】
この白色再現に必要なＲＧＢ各色の信号間でのレベル合わせは、ホワイトバランス補正と呼ばれているが、このホワイトバランス補正方法としては、白い被写体を選び、それを撮影して得た映像信号を用い、各色の信号毎にレベルを調整する方法が従来から知られている。
そして、このため、従来技術では、テレビジョンカメラの撮像面全体に白い被写体を写し込み、この状態で撮像して得た映像信号を用い、ホワイトバランスを調整するようになっていた。
【０００４】
【発明が解決しようとする課題】
上記従来技術は、ホワイトバランス補正に際して、専用の被写体を選ぶ必要がある点について配慮がされておらず、適切なタイミングでのホワイトバランス調整が困難であるという問題があった。
【０００５】
カラーテレビジョンカメラで撮像して得たカラー映像信号のホワイトバランス状態は、例えば外光の色温度変化などの撮像環境の変化や、カメラの撮像特性に現われる経年変化などにより崩れ易く、このため必要に応じて随時、容易に再調整できるのが望ましい。
【０００６】
しかして、従来技術では、ホワイトバランス補正に際しては、本来の撮像被写体とは別の、ホワイトバランス補正のためだけの被写体を写し込まなければならず、従って補正の都度、本来の撮像動作を中断する必要があり、このため、常に適切なタイミングでホワイトバランスをとるのが難しくなってしまうのである。
【０００７】
また、従来技術では、カメラの撮像面全体に白い被写体を撮影する必要があるが、カメラの設置場所や設置条件によっては、適切な被写体が得られない場合があり、この点でも、常に適切なタイミングでホワイトバランスをとるのが難しくなっていた。
【０００８】
特に、各種競技における着順判定用など、カメラの撮像視野を固定し、特定の背景のもとで移動する被写体を撮像する場合には、従来技術では、ホワイトバランス補正に対応するのは極めて困難であった。
本発明の目的は、撮像視野内の一部に白い被写体を設けるだけで確実にホワイトバランスが補正できるようにしたカラーテレビジョンカメラを提供することにある。
【０００９】
【課題を解決するための手段】
上記目的は、リニアセンサを用いた着順判定用のカラーテレビジョンカメラにおいて、  前記リニアセンサの撮像対象となるゴールラインの端部に白色体を設け、前記リニアセンサにより撮像した１画面分の映像信号の中の前記白色体による部分の信号により、自動的にホワイトバランスが補正されるように構成すると共に、被写体が前記ゴールラインを通過しているとき制御信号を発生させ、当該制御信号により前記ホワイトバランスの補正が一時的に禁止されるようにして達成される。
【００１０】
このとき、前記ホワイトバランスの補正が、所定の操作が与えられたとき実行されるようにしてもよい。
【００１１】
【発明の実施の形態】
以下、本発明によるカラーテレビジョンカメラについて、図示の実施形態により詳細に説明する。
図１は、画像変換素子としてリニアセンサ(１次元の画像センサ)を用いた着順判定装置用のカラーテレビジョンサカメラ、いわゆるカラーリニアセンサカメラに本発明を適用した場合の一実施形態で、図において、１がカラーリニアセンサカメラを表わす。
【００１２】
ここで、リニアセンサカメラとは、例えば陸上競技など、複数の走者が同時に速さを争う競技での着順判定に使用されるもので、例えば競技場のゴールライン近傍の競技者を撮像対象として、撮像視野を縦長のスリット状にしたビデオカメラのことで、この実施形態によるカラーリニアセンサカメラ１は、図示のように被写体Ａの光学像をレンズ２によりカラーリニアセンサカメラ１に取り込み、色温度変換フィルタを透過して色分解プリズム３に入射させるようになっている。
【００１３】
色分解プリズム３は分光光学系を構成し、入射された光は、ここでＲＧＢの各色成分用の３系統の光路に分岐され、さらにＲＧＢの各色用のトリミングフィルタを透過させ、必要とされる分光特性をもった光成分にされた上で、３個のリニアセンサ、すなわちＧ用のリニアセンサ４−１とＲ用のリニアセンサ４−２、それにＢ用のリニアセンサ４−３に入射され、それらの光電変換部に結像される。
【００１４】
こうして各リニアセンサ４−１、４−２、４−３に入力された光学像は、ここで、ＲＧＢの各色成分ごとに、１ライン分の画素データからなる映像信号に変換され、前置増幅用のプロセス回路５−１(Ｇ用)、５−２(Ｒ用)、５−３(Ｂ用)に供給される。
従って、このようなリニアセンサを用いたテレビジョンカメラの場合、１ライン分の映像信号が１画面の映像信号となる。
【００１５】
このとき、リニアセンサ４−１、４−２、４−３は、ドライブ回路１０から供給されるスキャン信号１７と走査クロック１８により駆動され、映像信号の読出しをする。
【００１６】
プロセス回路５−１、５−２、５−３から出力された映像信号１６−１、１６−２、１６−３は、ホワイトバランスアンプ６−１(Ｇ用)、６−２(Ｒ用)、６−３(Ｂ用)を経由することによりホワイトバランスがとられ、プロセス回路９に入力される。ここで、ホワイトバランスアンプ６−２、６−３については、それぞれゲイン信号Ｒｇとゲイン信号Ｂｇにより、そのゲイン(利得)が制御されるようになっている。
【００１７】
そして、このプロセス回路９で、入力された映像信号に同期信号とブランキング信号を付加する処理やレベル合わせ処理などが施され、ホワイトバランスがとれたＲＧＢのカラー映像信号Ｖout として出力されることになる。
ここで、このホワイトバランスをとる処理については、ホワイトバランス補正と呼ばれ、通常は、白色の被写体を撮像しているときの映像信号の中で、Ｇの映像信号１６−１のレベルを基準にし、これにＲの映像信号１６−２とＢの映像信号１６−３のレベルを合わせることにより行なわる。
【００１８】
すなわち、ホワイトバランスアンプ６−１のゲインを所定値に固定した状態で、ホワイトバランスアンプ６−２とホワイトバランスアンプ６−３のゲインを変えてやればホワイトバランス補正が行なえ、白色の被写体を撮像しているときの映像信号１６−１のレベルに、映像信号１６−２と映像信号１６−３のレベルが一致するように、ホワイトバランスアンプ６−２に印加されるゲイン信号Ｒｇの大きさと、ホワイトバランスアンプ６−３に印加されるゲイン信号Ｂｇの大きさを調整してやることにより、ホワイトバランスをとることができる。なお、詳細については後述する。
【００１９】
上記したように、ホワイトバランスアンプ６−１、６−２、６−３から出力された映像信号１６−１、１６−２、１６−３はプロセス回路９に供給されるが、この実施形態では、さらにゲート回路７−１(Ｇ)、７−２(Ｒ)、７−３(Ｂ)にも供給され、ゲート信号１９により、それらの映像信号の１ライン期間の中の所定の部分を抜き取った信号、すなわち部分映像信号２３−１(Ｇ)、２３−２(Ｒ)、２３−３(Ｂ)が取り出され、これらの部分映像信号２３−１、２３−２、２３−３がオートホワイトバランス制御回路８に供給されるように構成してある。
【００２０】
オートホワイトバランス制御回路８は、部分映像信号２３−１のレベルを基準レベルとし、部分映像信号２３−２のレベルと部分映像信号２３−３のレベルをそれぞれ比較し、部分映像信号２３−２(Ｒ)のレベルと基準レベルとの偏差に応じたゲイン信号Ｒｇと、部分映像信号２３−３(Ｂ)のレベルと基準レベルとの偏差に応じたゲイン信号Ｂｇとをそれぞれ算定し、それらを所定のメモリに保持して出力する働きをする。
【００２１】
そして、このオートホワイトバランス制御回路８は、ホワイトバランス切換器１３からオートホワイト信号１３−７が印加されることにより能動化され、能動化されている間は、映像信号１ライン毎、或いは数ラインに１回など、所定の頻度でゲイン信号Ｒｇ、Ｂｇを算定し、順次更新保持して出力するように構成してある。
【００２２】
カウンタ回路１１は、ゲート回路７−１、７−２、７−３に供給されるゲート信号１９を発生するものであるが、このときのゲート信号１９の１ライン期間内での位置Ｔはゲート調整器１２のゲート位置設定器１２−１により設定され、ゲート幅ｔはゲート調整器１２のゲート幅設定器１２−２により設定されるように構成してある。
ここで、これらのゲート位置設定器１２−１とゲート幅設定器１２−２としては、例えばデジタルスイッチが用いられている。
【００２３】
このカウンタ回路１１は、図２(b)に示すように、ドライブ回路１０から供給されるスキャン信号１７と走査クロック１８に基づいてゲート信号１９を生成するように構成してあり、従って、スキャン信号１７の立上り時点２０からの走査クロック１８の個数を、ゲート調整器１２のゲート位置設定器１２−１により設定するることにより、時点２０からゲート位置(時点)２１までの時間Ｔを決めることができ、このゲート位置２１からのクロック数をゲート幅設定器１２−２により設定することにより、時点２１から時点２２までの時間、つまりゲート幅ｔを決めるこができる。
【００２４】
ホワイトバランス切換器１３は、ホワイトバランス補正について、それが自動的に与えられる状態(オート)にするか、手動で補正する状態(マニュアル)にするのかが任意に選択できるようにする働きをするもので、このため、４個のスイッチ１３−１、１３−４、１３−５、１３−６と、２個の可変抵抗器１３−２、１３−３が設けられている。
【００２５】
スイッチ１３−１はホワイトバランス補正を、手動操作によりオートとマニュアルに切換えるスイッチで、切換操作型のスイッチからなり、このオートマニュアル切換スイッチ１３−１は、図示の切換位置がオートで、このときは、オートホワイトバランス制御回路８から出力されているゲイン信号Ｒｇ、Ｂｇをホワイトバランスアンプ６−２、６−３に供給し、図示とは反対の切換位置ではマニュアルになり、可変抵抗器１３−２、１３−３から与えられる電圧をホワイトバランスアンプ６−２、６−３に供給する働きをする。
【００２６】
可変抵抗器１３−２、１３−３は、それぞれＲレベル調整用可変抵抗器とＢレベル調整用可変抵抗器で、これらＲレベル調整用可変抵抗器１３−２とＢレベル調整用可変抵抗器１３−３は、それぞれ手動操作されることにより所定の電圧範囲内の任意の電圧を発生する働きをする。
【００２７】
従って、切換スイッチ１３−１をマニュアルに切換えた状態、すなわちマニュアルモードでは、これらＲレベル調整用可変抵抗器１３−２とＢレベル調整用可変抵抗器１３−３を操作することにより、ホワイトバランスアンプ６−２のゲインとホワイトバランスアンプ６−３のゲインを独立して変えることができ、手動でホワイトバランスを変えることができる。
【００２８】
スイッチ１３−４はオートホワイトスイッチで、オン位置とオフ位置に操作されるスイッチからなり、このオートホワイトスイッチ１３−４がオン位置にある間、オートホワイトバランス制御回路８にオートホワイト信号１３−７を出力する働きをする。
【００２９】
従って、このオートホワイトスイッチ１３−４をオンにしておけば、オートホワイトバランス制御回路８によりゲイン信号Ｒｇ、Ｂｇが逐次更新され、オフにされているときは、ゲイン信号Ｒｇ、Ｂｇは、オートホワイトスイッチ１３−４がオフにされる直前の値を保つことになる。
【００３０】
スイッチ１３−５はワンプッシュオートホワイトスイッチで、押しボタンスイッチなど、手などで操作力を加えているときだけオンするスイッチからなり、オンされている間だけオートホワイトバランス制御回路８にオートホワイト信号１３−７を出力する働きをする。
従って、このワンプッシュオートホワイトスイッチ１３−５を押してやれば、その時々での映像信号のホワイトバランス状態に応じたゲイン信号Ｒｇ、Ｂｇに更新させることができる。
【００３１】
スイッチ１３−６はオートホワイトバランス禁止スイッチで、常閉接点型のリレーの接点又は電子スイッチからなり、制御信号１４が入力されたときだけオンし、オートホワイトバランス制御回路８にオートホワイト信号１３−７が入力されるのを禁止する働きをする。
従って、制御信号１４が印加されたときは、オートホワイトバランス制御回路８によるゲイン信号Ｒｇ、Ｂｇの更新が無条件で禁止されることになる。
【００３２】
次に、この本発明の実施形態によるカラーリニアセンサカメラ１の動作について、ホワイトバランス補正動作を中心にして説明する。
上記したように、このカラーリニアセンサカメラ１では、ゲート回路７−１、７−２、７−３が設けられ、これにより、映像信号の１ライン期間の中の所定の部分を抜き取った信号、すなわち部分映像信号２３−１、２３−２、２３−３がオートホワイトバランス制御回路８に供給され、ゲイン信号Ｒｇ、Ｂｇが算定されるように構成されている。
【００３３】
そして、これらのゲイン信号Ｒｇ、ＢｇによりＲ用のホワイトバランスアンプ６−２とＢ用のホワイトバランスアンプ６−３のゲインが制御されることによりホワイトバランスが補正され、ホワイトバランスを取るようになっており、従って、被写体Ａの全体が白色でなくても、被写体Ａの部分映像信号２３−１、２３−２、２３−３に対応する部分だけが白色になっていさえすれば、ホワイトバランスの補正が可能になり、ホワイトバランスを取ることができる。
【００３４】
しかもこのとき、このカラーリニアセンサカメラ１では、上記したように、ゲート調整器１２により、１ライン分の映像信号の中の何れの位置からでも、任意の時間幅で映像信号を抜き出して部分映像信号２３−１、２３−２、２３−３とすることができるから、被写体Ａの一部に僅かでも白色部分があれば、たとえその白色部分が何処にあろうとも、それによる部分映像信号２３−１、２３−２、２３−３を容易に取り出せる。
【００３５】
すなわち、ゲート調整器１２のゲート位置設定器１２−１とゲート幅設定器１２−２の操作により、図２(b)に示すように、映像信号１６に対して、その１ライン周期に同期して、その１ライン期間の開始時点から任意の時間位置Ｔの時点２１で立上り、任意の時点２２で立下がる任意の時間幅ｔのゲート信号１９をカウンタ１１により発生させることができ、従って、図示のように、１ライン分の映像信号１６の中の任意の部分Ｐを取り出すことができるのである。
【００３６】
このため、まず、この実施形態では、図１に示すように、ゲート信号１９をプロセス回路９にも入力し、これにより、図示してない映像信号モニター装置の表示面に、図２(b)に示すように、映像信号１６と一緒にゲート信号１９が表示できるようにしてある。
このときの映像信号１６としては、映像信号１６−１、１６−２、１６−３のうちの任意のものでよいが、一般的には、Ｇの映像信号１６−１が表示されるようにしておけば良い。
【００３７】
そして、次に、この実施形態では、オートホワイトバランス補正に際しての準備作業として、まず、ゲート調整器１２によるゲート信号１９の位置Ｔと幅ｔの設定を行なう。
上記したように、このようなリニアセンサカメラは、着順判定装置などで使用される場合が多い。
この場合、図２(a)に示すように、カラーリニアセンサカメラ１の焦点はゴールラインなどの着順判定線上に合わせられ、その部分だけを撮像している状態で使用され、従って、この場合は、ゴールラインがカラーリニアセンサカメラ１の被写体領域ＡL となる。
【００３８】
そこで、図示のように、このゴールラインからなる被写体領域ＡL の端部に所定の白色体ＡLW を設置する。そして、これをカラーリニアセンサカメラ１により撮像する。
このとき、被写体領域ＡL の全体は、通常、同じ照度環境にあると考えてよいので、被写体領域ＡL の中では白色体ＡLW による部分の輝度が最大になる筈であり、従って、図２(b)に示すように、映像信号１６の中で白色体ＡLW による部分は、最大レベル部分Ｐとして簡単に識別できる。
【００３９】
そこで、ゲート調整器１２のゲート位置設定器１２−１を操作してゲート信号１９をモニター面で左右(時間軸方向)に動かし、図２(b)に示すように、映像信号１６の最大レベル部分Ｐに合わせ、ゲート幅設定器１２−２によりゲート幅ｔを合わせてやれば、簡単にゲート信号１９の位置Ｔと幅ｔが設定でき、準備作業を完了させることができる。
【００４０】
なお、この準備作業としてのゲート調整器１２によるゲート信号１９の位置Ｔと幅ｔの設定作業は、原則として、被写体領域ＡL に最初に白色体ＡLW を設置したときと、これらの関係が変わったときだけ行なえば良いが、その他のときにも、例えば定期的に実行するようにしてやれば、常に確実な動作が期待できる。
【００４１】
以上の準備作業を完了させた後は、カラーリニアセンサカメラ１による白色体ＡLW を含む被写体領域ＡL の撮像動作が行なわれている間、オートホワイトバランス制御回路８には、白色体ＡLW による部分映像信号２３−１、２３−２、２３−３がオートホワイトバランス制御回路８に供給されるようになり、この結果、オートホワイトバランス制御回路８は、オートホワイト信号１３−７が印加され、且つオートマニュアル切換スイッチ１３−１がオート側に切換えられていることを条件として、ホワイトバランスを自動的にとるのに必要なゲイン信号Ｒｇとゲイン信号Ｂｇの算定をフィードバック処理により実行する。
【００４２】
このときのオートホワイトバランス制御回路８によるゲイン信号Ｒｇ、Ｂｇのフィードバック処理による算出動作について、図３により説明する。
いま、白色体ＡLW を含む被写体領域ＡL の撮像による各映像信号１６−１、１６−２、１６−３が図示の通りであり、これから、ゲート信号１９により取り出された部分映像信号２３−１、２３−２、２３−３が図示の通りであったとする。
【００４３】
ここではホワイトバランスが崩れている状態を示しており、従って、基準となる部分映像信号２３−１(Ｇ)のレベルＨに対して、部分映像信号２３−２(Ｒ)と部分映像信号２３−３(Ｂ)のレベルが異なっている。
ここでは、レベルの違いが低い場合を示してあるが、高くなる場合もあるのは言うまでもない。
【００４４】
そこで、オートホワイトバランス制御回路８は、部分映像信号２３−１と部分映像信号２３−２を逐次比較し、これらのレベルの差が縮小して行く方向にゲイン信号Ｒｇの値を変化させてゆく。すなわち、部分映像信号２３−１のレベルがレベルＨよりも低いときは、逐次、ゲイン信号Ｒｇを大きくし、反対に、部分映像信号２３−１のレベルがレベルＨより高いときは、逐次、ゲイン信号Ｒｇを小さくしてゆくのである。
【００４５】
そして、レベルが一致したときのゲイン信号Ｒｇの値を順次、所定のメモリに格納する。このときのメモリに対するゲイン信号Ｒｇの格納は、いわゆるデータの更新で、新にゲイン信号Ｒｇが算定される毎に、前に格納してあったデータを新たなゲイン信号Ｒｇで書き替え、保持する動作となる。
部分映像信号２３−３についても同様で、部分映像信号２３−１とのレベル差が縮小して行く方向にゲイン信号Ｂｇの値を変化させて行き、レベルが一致したときのゲイン信号Ｂｇの値を順次更新保持してゆくのである。
【００４６】
図３では、こうしてレベルの一致が得られたときの状態を、部分映像信号２４−１、２４−２、２４−３で表わしてあり、このときがホワイトバランスが取れた状態である。すなわち、各部分映像信号２４−１、２４−２、２４−３のレベルは全て同じで、部分映像信号２４−１のレベルＨに揃っている。
そして、この状態は、オートホワイト信号１３−７が印加され、且つオートマニュアル切換スイッチ１３−１がオート側に切換えられている限り、常に自動的に得られ、自動追従による常時補正動作が得られることになる。
【００４７】
従って、この実施形態によれば、撮像視野内の一部に白色の部分があれば、それだけでホワイトバランスが自動的にとれるので、補正のために被写体を変える必要が無く、本来の被写体を撮像している状態で常時、ホワイトバランスが正しくとれた撮像を行なうことができる。
また、この結果、この実施形態によれば、撮像視野内に小さな白色体を設置するだけで、ホワイトバランス補正に利用可能な白色部分を持たない被写体の場合でも、簡単にホワイトバランスを取ることができ、被写体に制約を受けることなく、常に適切なホワイトバランス状態の映像信号を得ることができる。
【００４８】
ところで、陸上競技などで、ゴールラインが白線の場合には、そのライン上にリニアセンサを合わせてやれば、ゴールラインの白色によりホワイトバランスの補正が可能な場合もあるが、しかし、ゴールラインの色が、ホワイトバランス補正に適した白色であるとは限らないから、このときは、別途、白色体ＡLW を設置するのが望ましい。
【００４９】
一方、競輪、競馬などではゴールラインが白線とは限らず、特に競艇などではゴールラインに水面が入るので、そのままではホワイトバランスの補正は行えない。
しかるに、このときでも、本発明の実施形態によれば、白色体ＡLW を設けるだけでよいから、容易にホワイトバランスをとることができる。
また、このときでも、撮像視野内での白色体ＡLW の設置位置は任意に選べる上、その大きさも小さなものでよいから、その設置についての制約は極めて少なく、ほとんどの場合、容易に適用することができ、自動的にホワイトバランスがとれた高品位のカラー映像信号を簡単に得ることができる。
【００５０】
ところで、この図１に示した実施形態では、ホワイトバランス切換器１３が設けてあり、これにより、ホワイトバランス補正について、上記した自動追従による常時補正動作の外、これも上記したように、可変抵抗器１３−２、１３−３の操作による手動補正動作と、ワンプッシュオートホワイトスイッチ１３−５の操作によるワンプッシュオートホワイト補正動作が選択できるようになっている。
【００５１】
自動追従による常時補正動作は、オートマニュアル切換スイッチ１３−１を図示のオート切換位置にした状態で、オートホワイトスイッチ１３−４を閉じることにより得られるモードで、このモードでは、日照変化など環境光の色温度変化や照度変化に自動的に追従して常にホワイトバランスが取られている状態を保つことができる。
【００５２】
手動補正動作は、オートマニュアル切換スイッチ１３−１を図示とは反対の切換位置にしたとき得られるモードで、このときは、Ｒレベル調整用可変抵抗器１３−２とＢレベル調整用可変抵抗器１３−３を操作することにより、手動で任意にホワイトバランスを変えることができ、従って、何らかの理由によりホワイトバランスを崩したいときなどに利用することができる。
【００５３】
ワンプッシュオートホワイト補正動作は、オートホワイトスイッチ１３−４が開いている状態で、ワンプッシュオートホワイトスイッチ１３−５が押され、それがオンされている間だけ得られるモードで、その時々でのホワイトバランス状態に応じてオートホワイトバランスがとられるようにすることができる。
【００５４】
また、この実施形態では、ホワイトバランス切換器１３にオートホワイトバランス禁止スイッチ１３−６が設けてあり、これにより、上記したように、外部から与えられる制御信号１４により、オートホワイトバランス制御回路８によるゲイン信号Ｒｇ、Ｂｇの更新が無条件で禁止されるようにしてある。
このときの制御信号１４は、カラーリニアセンサカメラ１による映像信号を記録しているときに発生される信号であり、オートホワイトバランス禁止スイッチ１３−６は、上記したように、常閉接点型のリレーの接点又は電子スイッチからなり、制御信号１４が入力されたときだけオンするスイッチである。
【００５５】
ここで、この実施形態のように、カラーリニアセンサカメラ１を着順判定装置として使用している場合、走者などの被写体がゴールラインを通過中の映像信号を記録してから着順判定を行なうようになっている。
そこで、この実施形態では、この被写体がゴールラインを通過しているときに制御信号１４を発生させ、これをオートホワイトバランス禁止スイッチ１３−６に供給して、このスイッチを開くのである。
【００５６】
この実施形態では、自動追従で常時ホワイトバランスを補正しているとき、別の被写体が白色体ＡLW の映像内に映り込んだとすると、ホワイトバランスが崩されてしまう虞れがある。
そこで、この実施形態では、被写体がゴールラインを通過しているときは一時的にホワイトバランス状態が固定されるようにしたものであり、従って、この実施形態によれば、着順判定装置に適用した場合でも、ホワイトバランスに崩れが生じるのを確実に抑えることができ、常に安定した映像信号のもとで、正確に着順判定を行なうことができる。
【００５７】
ところで、以上の実施形態では、本発明をカラーリニアセンサカメラに適用した場合について説明したが、本発明は、フレーム単位で映像を撮像するカラーテレビジョンカメラにも適用可能なことはいうまでもない。
この場合、１ライン単位で部分映像信号を取り出す代わりに、１フレーム内の任意の位置で、任意の広さの部分から映像信号を取り出して部分映像信号としてやればよい。
【００５８】
【発明の効果】
本発明によれば、カラーテレビジョンカメラの撮像視野内に一部でも白い部分があれば、自動的にホワイトバランスをとることができる。
従って、本発明によれば、通常の撮像動作の中でも自動的にホワイトバランスをとることができ、常時、高品位のカラー映像の撮像が可能なカラーテレビジョンカメラを容易に提供することができる。
【００５９】
また、自動追従のホワイトバランスでも被写体通過時のホワイトバランスずれが発生しない。
【図面の簡単な説明】
【図１】本発明をカラーリニアセンサカメラに適用した場合の一実施形態を示すブロック図である。
【図２】本発明の一実施形態による撮影動作の説明図である。
【図３】本発明の一実施形態の動作を説明するためのタイミングチャートである。
【符号の説明】
１  カラーリニアセンサカメラ
２  撮像レンズ
３  色分解プリズム
４−１〜４−３  リニアセンサ
５−１〜５−３  前置増幅用のプロセス回路
６−１〜６−３  ホワイトバランスアンプ
７−１〜７−３  ゲート回路
８  オートホワイトバランス制御回路
９  プロセス回路
１０  ドライブ回路
１１  カウンタ回路
１２  ゲート調整器
１２−１  ゲート位置設定器
１２−２  ゲート幅設定器
１３  ホワイトバランス切換器
１３−１  オートマニュアル切換スイッチ
１３−２  Ｒレベル調整用可変抵抗器
１３−３  Ｂレベル調整用可変抵抗器
１３−４  オートホワイトスイッチ
１３−５  ワンプッシュスイッチ
１３−６  オートホワイトバランス禁止スイッチ
【図１】
0003857438.tif 000002
【図２】
0003857438.tif 000003
【図３】
0003857438.tif 000004